(57)【要約】      （修正有）【課題】飲料が入ったペットボトル又は飲料缶等の容器を４本まとめて包装でき、容易に取り出せ、尚且つ重量に対しての耐久性の高い簡易飲料ケースにを提供する。【解決手段】四角形の底板Ｂと、前記底板の各辺に対し垂直に設けられる側板と、を有する簡易飲料ケースにおいて、ペットボトル又は飲料缶を収納するための開口を有する上板Ａを備え、前記上板は対向する２辺から垂下する内側壁を有すると共に、前記上板と内側壁との境にはそれぞれツメを入れて差し込むためのスリット８，８’を形成する。また、前記底板は対抗する２辺から起立すると共に、前記内側壁の外側に位置し、前記上板上面よりも上方へ伸びる外側壁５，５’を有し、前記外側壁は前記スリットに差し込むツメ７，７’を形成し、ペットボトル又は飲料缶用簡易飲料ケースとする。【選択図】図２
0003178795.tif 000002
【実用新案登録請求の範囲】
【請求項１】
４本のペットボトル・缶飲料を簡易飲料ケースにおいて、底面の強度に対してはケースの側面に組み立て部分を持ち、底部分に組み立て部分をなくし耐久重量を６キロまで耐えられる特徴を有する簡易飲料ケース。
【請求項２】
側面の強度に対しては、取っ手部分に組み立て部分と差込部分を併せて設けることにより、側面の耐久性を高めた特徴を有する簡易飲料ケース。
【考案の詳細な説明】
【技術分野】
【０００１】  本考案は、飲料が入ったペットボトル・缶等の容器を４本まとめて包装でき、容易に取り出せ、尚且つ重量に対しての耐久性の高い簡易飲料ケースに関するものである。
【背景技術】
【０００２】  強度が弱いもの（下記特許文献１）は容易に商品を取り出せるようにしているため商品を落としてしまう恐れがあった。また、強度が強いもの（下記特許文献２）は商品が取り出しにくかった。
【先行技術文献】
【特許文献】
【０００３】
【特許文献１】  特開  ２００７−１３１３２８  公開特許公報
【特許文献２】  特開平  ６−８９５７  公開特許公報
【考案の概要】
【考案が解決しようとする課題】
【０００４】容易に商品が取り出せて、パッケージが壊れにくい。この課題を改善するものである。
【課題を解決するための手段】
【０００５】本考案は、４本のペットボトル・缶を図１のようにＡ面の収納スペースに入れ、製品の下部を固定し上部から容易に取り出すことができる形状をしている。また、底の形状に組み込み部分がなく側面に組み込み部分があることで底抜けが起こらない設計になっておりパッケージも損傷しにくい。（６ｋｇまで耐久テスト済）
【考案の効果】
【０００６】上述の様に、本考案のペットボトル・缶飲料用簡易飲料ケースは、容易にペットボトル・缶を取り出すことができる。また、底に組み込み部分が無いため、通常より高い耐久性を持つ構造になっている。
【図面の簡単な説明】
【０００７】
【図１】本考案のペットボトル・缶飲料用簡易飲料ケースの実施例を示す斜視図である。
【図２】本考案のペットボトル・缶飲料用簡易飲料ケースの展開図である。
【図３】本考案のペットボトル・缶飲料用簡易飲料ケースのツメ部分説明図である。
【考案を実施するための形態】
【０００８】以下、添付図面に従ってケースの組み立て例を説明する。
図２の▲１▼と▲２▼を貼り付け、▲３▼▲３▼´と▲４▼▲４▼´を折込む、同様に▲５▼▲５▼´と▲６▼▲６▼´を折込み、その後、▲７▼▲７▼´を▲８▼▲８▼´に入れ込む。
【実施例】
【０００９】以下、添付図面に従ってケースの使用例を説明する。
上記で作成したケースのＡ面の収納スペースに缶またはペットボトルを４本入れた状態が図１である。この状態でひもを持ちケースを吊り上げ、缶またはペットボトルの合計重量が６キロまで運搬することを可能にする。
【符号の説明】
【００１０】Ａ                缶またはペットボトル収納上部部分
Ｂ                缶またはペットボトル収納底部分
▲１▼〜▲２▼    接合用糊しろ部分
▲３▼〜▲６▼    組み込み部分
▲７▼            ツメ部分
▲８▼            ツメ入れ込み部分
【図１】
0003178795.tif 000003
【図２】
0003178795.tif 000004
【図３】
0003178795.tif 000005
【手続補正書】
【提出日】平成24年7月11日(2012.7.11)
【手続補正１】
【補正対象書類名】実用新案登録請求の範囲
【補正対象項目名】全文
【補正方法】変更
【補正の内容】
【実用新案登録請求の範囲】
【請求項１】
四角形の底板と、前記底板の各辺に対し垂直に設けられる側板と、を有する簡易飲料ケースにおいて、ペットボトル又は飲料缶を収納するための開口を有する上板を備え、前記上板は対向する２辺から垂下する内側壁を有すると共に、前記上板と内側壁との境にはそれぞれツメを入れて差し込むためのスリットが形成され、前記底板は対抗する２辺から起立すると共に、前記内側壁の外側に位置し、前記上板上面よりも上方へ伸びる外側壁を有し、前記外側壁は前記スリットに差し込むツメが形成されてなるペットボトル又は飲料缶用簡易飲料ケース。
【請求項２】
前記外側壁の前記上板よりも上方にはケースを吊り上げるためのひもが設けられる特徴を有する請求項１に記載の簡易飲料ケース。
【手続補正２】
【補正対象書類名】明細書
【補正対象項目名】全文
【補正方法】変更
【補正の内容】
【考案の詳細な説明】
【技術分野】
【０００１】  本考案は、飲料が入ったペットボトル又は飲料缶等の容器を４本まとめて包装でき、容易に取り出せ、尚且つ重量に対しての耐久性の高い簡易飲料ケースに関するものである。
【背景技術】
【０００２】  強度が弱いもの（下記特許文献１）は容易に商品を取り出せるようにしているため商品を落としてしまう恐れがあった。また、強度が強いもの（下記特許文献２）は商品が取り出しにくかった。
【先行技術文献】
【特許文献】
【０００３】
【特許文献１】  特開  ２００７−１３１３２８  公開特許公報
【特許文献２】  特開平  ６−８９５７  公開特許公報
【考案の概要】
【考案が解決しようとする課題】
【０００４】容易に商品が取り出せて、パッケージが壊れにくい。この課題を改善するものである。
【課題を解決するための手段】
【０００５】本考案は、４本のペットボトル又は飲料缶を図１のようにＡ面の収納スペースに入れ、製品の下部を固定し上部から容易に取り出すことができる形状をしている。また、図２の底（Ｂ）に組み込み部分がなく側面（▲５▼、▲５▼’）に組み込み部分（▲３▼、▲３▼’、▲４▼、▲４▼’、▲６▼、▲６▼’）があることで底抜けが起こらない設計になっておりパッケージも損傷しにくい。
【考案の効果】
【０００６】  上述の様に、本考案のペットボトル又は飲料缶用簡易飲料ケースは、容易にペットボトル又は飲料缶を取り出すことができる。また、０００５に記載したように底に組み込み部分が無いため、通常より高い耐久性を持つ構造になっている。
【図面の簡単な説明】
【０００７】
【図１】本考案のペットボトル又は飲料缶用簡易飲料ケースの実施例を示す斜視図である。
【図２】本考案のペットボトル又は飲料缶用簡易飲料ケースの展開図である。
【図３】本考案のペットボトル又は飲料缶用簡易飲料ケースのツメ部分説明図である。
【考案を実施するための形態】
【０００８】以下、添付図面に従ってケースの組み立て例を説明する。
図２の▲１▼と▲２▼を貼り付け、▲３▼▲３▼’と▲４▼▲４▼’を折込む、同様に▲５▼▲５▼’と▲６▼▲６▼’を折込み、その後、▲７▼▲７▼’を▲８▼▲８▼’に入れ込む。
【実施例】
【０００９】以下、添付図面に従ってケースの使用例を説明する。
上記で作成したケースのＡ面の収納スペースにペットボトル又は飲料缶を４本入れた状態が図１である。この状態でひもを持ちケースを吊り上げ、ペットボトル又は飲料缶を運搬することを可能にする。
【符号の説明】
【００１０】Ａ                ペットボトル又は飲料缶収納上部部分
Ｂ                ペットボトル又は飲料缶収納底部分
▲１▼〜▲２▼    接合用糊しろ部分
▲３▼〜▲６▼    組み込み部分
▲７▼            ツメ部分
▲８▼            ツメ入れ込み部分